(57)【要約】【課題】本発明は自己適応マスクを開示した。【解決手段】顔型の異なった人は、鼻の大きさも異なっており、成形ブロックによってマスクと鼻の周りの肌との間の空間を封閉するとき、成形ブロックの突起によって磁石ブロックを連動させてスライドチャンバの中心に近づかせ、磁石ブロックと磁石シートの間の距離を縮め、磁力を増やし、これによって磁石シートを前記磁石ブロック接近せうる方向へ運動連動させ、前記スライド布を運動連動させ、圧縮撥条が引っ張られ、通気穴が両側に運動し、これによりマスクに対して垂直に排気することに便利を与え、且つ片耳でマスクを掛けるときに、二つのスライドブロックを近づかせ、ストッパーを並進溝の中に差し込み、ロープの一端が一つの輪に形成し、より便利に耳に掛けられ、使用者が便利にマスクを使用できる。【選択図】図１
2020143415.tif 000002
【特許請求の範囲】
【請求項１】
マスク及び前記マスクの中に位置する伸縮チャンバを含み、前記伸縮チャンバの中には伸縮できるフィルターが設置されており、前記伸縮チャンバの両側壁壁の中にはいずれも伸縮機構が設置されており、前記伸縮機構はまた、前記マスクの中に位置し、且つ外部空間と連通する移動チャンバを含み、上下二つの前記移動チャンバの間には前記移動チャンバに連通する隔てチャンバが設置されており、前記隔てチャンバが外部空間と連通し、且つ前後端壁の間にはいずれも第一マジックテープ（登録商標）が設置されており、前記隔てチャンバの前後端壁の間にはまた支えブロックが設置されており、後側の前記支えブロックの中には前へ開口するボタン溝が設置されており、前側支えブロックの後端面にはボタンが設置されており、前記隔てチャンバの中にはまた上下両端はそれぞれ上下両側の前記移動チャンバの中に位置する細紐が設置されており、外部空間の中には二本のロープが設置されており、前記ロープの両端はそれぞれ上下二つの前記移動チャンバの端壁を貫通し、且つ前記細紐の上下両端と接続され、左右二本の前記ロープの間には二本の輪ゴムが固定的に設置されており、前記輪ゴムが前記伸縮チャンバを貫通して前記フィルターとスライドできるように設置されており、前記伸縮チャンバの上端壁の中には通気機構が設置されており、前記通気機構はスライドチャンバを含み、前記スライドチャンバの左右端壁はいずれも外部空間と連通して上側の二つの前記移動チャンバと連通し、前記スライドチャンバの左右両側の前後端壁にはいずれも第二マジックテープ（登録商標）が設置されており、前記伸縮チャンバの上端壁の中には二つのスライド溝が設置されており、前記スライド溝の前後端壁の中には外部空間と連通する貫通溝が設置されており、前記スライド溝の中にはスライド布が設置されており、前記スライド布には前記スライド布を貫通する通気穴が設置されており、前記スライド布の前端面には一端が前記スライド布と当接する二枚の遮断布が設置されており、二枚の前記遮断布が前記通気穴を封閉し、その作用は前記ロープを引き動かすことによって、自由に変化して異なった人のサイズの要求を満足することを特徴とする自己適応マスク。
【請求項２】
前記伸縮機構は、外部空間の中に位置し、且つ前記ロープとスライドできるように接続されるスライドブロックを含み、上側の前記スライドブロックの一端には下へ開口する撥条溝が設置されており、前記撥条溝の上端壁には伸縮撥条が設置されており、前記伸縮撥条の下端には下端が外部空間に位置する接続棒が設置されており、前記接続棒の下端にはストッパーが設置されており、下側の前記スライドブロックの上端には固定ブロックが設置されており、前記固定ブロックの中には左右端壁が外部空間に連通する並進溝が設置されており、前記並進溝の上端壁には上端壁と左右端壁がいずれも外部空間と連通する移動溝が設置されており、その作用は前記ストッパーと前記並進溝との係合によって、二つの前記スライドブロックを接続させ、便利にマスクを一つの耳に掛けることを特徴とする請求項１に記載の自己適応マスク。
【請求項３】
前記通気機構はまた前記スライドチャンバの中に位置する成形ブロックを含み、前記スライドチャンバの上端壁には外部空間に連通する復帰溝が設置され、前記成形ブロックの左右両端には上端が外部空間に連通する磁石ブロックが摩擦して設置されており、前記スライド溝の上端壁には前記スライドチャンバに連通する引張チャンバが設置されており、前記スライド布の上端には上端が前記引張チャンバを貫通し、且つ前記スライドチャンバの中に位置する磁石シートが設置されており、前記スライド布の一端は前記スライド溝の一側端壁との間には圧縮撥条が設置されており、その作用は前記マスクをより良く通気させることを特徴とする請求項１に記載の自己適応マスク。
【発明の詳細な説明】
【技術分野】
【０００１】
本発明は生活用品分野を取り上げて、具体的には自己適応マスクである。
【背景技術】
【０００２】
現在のマスクは使う時、特に冬では、メガネを掛けている使用者が呼吸するとガラスがかすみ、視線に影響を及ぼし、ある程度の邪魔をもたらし、且つ現段階のマスクはほとんど同じパターンあり、使用者により要求をいちいち満足できず、使用に影響を及ぼす。
【先行技術文献】
【特許文献】
【０００３】
【特許文献１】中国特許出願公開第１０８５４２０２３号明細書
【発明の概要】
【発明が解決しようとする課題】
【０００４】
本発明の目的はある自己適応マスクを提供し、上記背景技術から提出される欠点を解決つもりである。
【課題を解決するための手段】
【０００５】
図１−２を参考し、本発明が提供するある実施例：自己適応マスクは、マスク及び前記マスクの中に位置する伸縮チャンバを含み、前記伸縮チャンバの中には伸縮できるフィルターが設置されており、前記伸縮チャンバの両側壁壁の中にはいずれも伸縮機構が設置されており、前記伸縮機構はまた、前記マスクの中に位置し、且つ外部空間と連通する移動チャンバを含み、上下二つの前記移動チャンバの間には前記移動チャンバに連通する隔てチャンバが設置されており、前記隔てチャンバが外部空間と連通し、且つ前後端壁の間にはいずれも第一マジックテープ（登録商標）が設置されており、前記隔てチャンバの前後端壁の間にはまた支えブロックが設置されており、後側の前記支えブロックの中には前へ開口するボタン溝が設置されており、前側支えブロックの後端面にはボタンが設置されており、前記隔てチャンバの中にはまた上下両端はそれぞれ上下両側の前記移動チャンバの中に位置する細紐が設置されており、外部空間の中には二本のロープが設置されており、前記ロープの両端はそれぞれ上下二つの前記移動チャンバの端壁を貫通し、且つ前記細紐の上下両端と接続され、左右二本の前記ロープの間には二本の輪ゴムが固定的に設置されており、前記輪ゴムが前記伸縮チャンバを貫通して前記フィルターとスライドできるように設置されており、前記伸縮チャンバの上端壁の中には通気機構が設置されており、前記通気機構はスライドチャンバを含み、前記スライドチャンバの左右端壁はいずれも外部空間と連通して上側の二つの前記移動チャンバと連通し、前記スライドチャンバの左右両側の前後端壁にはいずれも第二マジックテープ（登録商標）が設置されており、前記伸縮チャンバの上端壁の中には二つのスライド溝が設置されており、前記スライド溝の前後端壁の中には外部空間と連通する貫通溝が設置されており、前記スライド溝の中にはスライド布が設置されており、前記スライド布には前記スライド布を貫通する通気穴が設置されており、前記スライド布の前端面には一端が前記スライド布と当接する二枚の遮断布が設置されており、二枚の前記遮断布が前記通気穴を封閉し、その作用は前記ロープを引き動かすことによって、自由に変化して異なった人のサイズの要求を満足する。
【０００６】
更なる技術方案、前記伸縮機構は、外部空間の中に位置し、且つ前記ロープとスライドできるように接続されるスライドブロックを含み、上側の前記スライドブロックの一端には下へ開口する撥条溝が設置されており、前記撥条溝の上端壁には伸縮撥条が設置されており、前記伸縮撥条の下端には下端が外部空間に位置する接続棒が設置されており、前記接続棒の下端にはストッパーが設置されており、下側の前記スライドブロックの上端には固定ブロックが設置されており、前記固定ブロックの中には左右端壁が外部空間に連通する並進溝が設置されており、前記並進溝の上端壁には上端壁と左右端壁がいずれも外部空間と連通する移動溝が設置されており、その作用は前記ストッパーと前記並進溝との係合によって、二つの前記スライドブロックを接続させ、便利にマスクを一つの耳に掛ける。
【０００７】
更なる技術方案、前記通気機構はまた前記スライドチャンバの中に位置する成形ブロックを含み、前記スライドチャンバの上端壁には外部空間に連通する復帰溝が設置され、前記成形ブロックの左右両端には上端が外部空間に連通する磁石ブロックが摩擦して設置されており、前記スライド溝の上端壁には前記スライドチャンバに連通する引張チャンバが設置されており、前記スライド布の上端には上端が前記引張チャンバを貫通し、且つ前記スライドチャンバの中に位置する磁石シートが設置されており、前記スライド布の一端は前記スライド溝の一側端壁との間には圧縮撥条が設置されており、その作用は前記マスクをより良く通気させる。
【発明の効果】
【０００８】
本発明の有益な効果は下記の通りである：
【０００９】
本装置は結構が簡単で、便利に操作し、自由的にロープを調整でき、マスクに対する異なった要求をより良く満足し、排気するときに上へ排気して眼鏡のガラスがかすむ状況を回避し、マスクの使用体験が更に良くなり、二つのスライドブロックの係合によって、外すときに耳にかけ、落ちにくく、もう一側のロープを引っ張って直接にマスクをかぶせることに便利を与える。
【図面の簡単な説明】
【００１０】
【図１】は本発明の自己適応マスクの全体断面正面構成模式図であり；
【図２】は本発明の自己適応マスクスのスライドブロックの全体の左視拡大構成模式図である。
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１−２を参考し、本発明が提供するある実施例：自己適応マスクは、マスク１及び前記マスク１の中に位置する伸縮チャンバ３４を含み、前記伸縮チャンバ３４の中には伸縮できるフィルター３５が設置されており、前記伸縮チャンバ３４の両側壁壁の中にはいずれも伸縮機構が設置されており、前記伸縮機構１１はまた、前記マスク１の中に位置し、且つ外部空間と連通する移動チャンバ６を含み、上下二つの前記移動チャンバ６の間には前記移動チャンバ６に連通する隔てチャンバ７が設置されており、前記隔てチャンバ７が外部空間と連通し、且つ前後端壁の間にはいずれも第一マジックテープ（登録商標）１２が設置されており、前記隔てチャンバ７の前後端壁の間にはまた支えブロック５が設置されており、後側の前記支えブロック５の中には前へ開口するボタン溝４が設置されており、前側支えブロック５の後端面にはボタン３が設置されており、前記隔てチャンバ７の中にはまた上下両端はそれぞれ上下両側の前記移動チャンバ６の中に位置する細紐２が設置されており、外部空間の中には二本のロープ１７が設置されており、前記ロープ１７の両端はそれぞれ上下二つの前記移動チャンバ６の端壁を貫通し、且つ前記細紐２の上下両端と接続され、左右二本の前記ロープ２の間には二本の輪ゴム３３が固定的に設置されており、前記輪ゴム３３が前記伸縮チャンバ３４を貫通して前記フィルター３５とスライドできるように設置されており、前記伸縮チャンバ３４の上端壁の中には通気機構２０が設置されており、前記通気機構２０はスライドチャンバ２３を含み、前記スライドチャンバ２３の左右端壁はいずれも外部空間と連通して上側の二つの前記移動チャンバ６と連通し、前記スライドチャンバ２３の左右両側の前後端壁にはいずれも第二マジックテープ（登録商標）１９が設置されており、前記伸縮チャンバ３４の上端壁の中には二つのスライド溝２６が設置されており、前記スライド溝２６の前後端壁の中には外部空間と連通する貫通溝３１が設置されており、前記スライド溝２６の中にはスライド布３２が設置されており、前記スライド布３２には前記スライド布３２を貫通する通気穴２９が設置されており、前記スライド布３２の前端面には一端が前記スライド布３２と当接する二枚の遮断布３０が設置されており、二枚の前記遮断布３０が前記通気穴２９を封閉し、その作用は前記ロープ１７を引き動かすことによって、自由に変化して異なった人のサイズの要求を満足する。
【００１３】
有益なように、前記伸縮機構１１は、外部空間の中に位置し、且つ前記ロープ１７とスライドできるように接続されるスライドブロック１８を含み、上側の前記スライドブロック１８の一端には下へ開口する撥条溝１５が設置されており、前記撥条溝１５の上端壁には伸縮撥条１６が設置されており、前記伸縮撥条１６の下端には下端が外部空間に位置する接続棒１３が設置されており、前記接続棒１３の下端にはストッパー１４が設置されており、下側の前記スライドブロック１８の上端には固定ブロック８が設置されており、前記固定ブロック８の中には左右端壁が外部空間に連通する並進溝９が設置されており、前記並進溝９の上端壁には上端壁と左右端壁がいずれも外部空間と連通する移動溝１０が設置されており、その作用は前記ストッパー１４と前記並進溝９との係合によって、二つの前記スライドブロック１８を接続させ、便利にマスクを一つの耳に掛ける。
【００１４】
有益なように、前記通気機構２０はまた前記スライドチャンバ２３の中に位置する成形ブロック２４を含み、前記スライドチャンバ２３の上端壁には外部空間に連通する復帰溝２２が設置され、前記成形ブロック２４の左右両端には上端が外部空間に連通する磁石ブロック２１が摩擦して設置されており、前記スライド溝２６の上端壁には前記スライドチャンバ２３に連通する引張チャンバ２８が設置されており、前記スライド布３２の上端には上端が前記引張チャンバ２８を貫通し、且つ前記スライドチャンバ２３の中に位置する磁石シート２７が設置されており、前記スライド布３２の一端は前記スライド溝２６の一側端壁との間には圧縮撥条２５が設置されており、その作用は前記マスク１をより良く通気させる。
【００１５】
これより、付図１−２及び上記の本願発明の自己適応マスクの具体的な構成を参考して本申請の自己適応マスクの使い方を詳しく紹介する。
【００１６】
顔型の大きい方が使用するとき、ロープ１７を引っ張り、ロープ１７によって細紐２を両側へ移動連動させ、需要により、細紐２が異なった数のボタンを解き、両側のロープ１７の間の相対的距離を増やし、適応に便利を与え、且つ細紐２の運動によって輪ゴム３３を引っ張り、フィルター３５を相対的に伸ばさせ、これにより濾過効果を保証することを前提としてフィルター３５におけるろ過穴を相対的に拡大させ、更に便利に通気できる。
【００１７】
顔型の異なった人は、鼻の大きさも異なっており、成形ブロック２４によってマスクと鼻の周りの肌との間の空間を封閉するとき、成形ブロック２４の突起によって磁石ブロック２１を連動させてスライドチャンバ２３の中心に近づかせ、磁石ブロック２１と磁石シート２７の間の距離を縮め、磁力を増やし、これによって磁石シート２７を前記磁石ブロック２１接近せうる方向へ運動連動させ、前記スライド布２１を運動連動させ、圧縮撥条２５が引っ張られ、通気穴２９が両側に運動し、これによりマスクに対して垂直に排気することに便利を与え、且つ片耳でマスクを掛けるときに、二つのスライドブロック１８を近づかせ、ストッパー１４を並進溝９の中に差し込み、ロープ１７の一端が一つの輪に形成し、より便利に耳に掛けられ、使用者が便利にマスクを使用できる。
【００１８】
以上、発明の具体的な実施方法であり、ところが、発明の保護範囲はこれに限らない、創造性労働のない考えた変化や入替えは発明の保護範囲の中に含むべき、だから、発明の保護範囲は特許文献が限定する保護範囲に順するべきである。
【図１】
2020143415.tif 000003
【図２】
2020143415.tif 000004
【手続補正書】
【提出日】令和1年7月15日(2019.7.15)
【手続補正１】
【補正対象書類名】特許請求の範囲
【補正対象項目名】全文
【補正方法】変更
【補正の内容】
【特許請求の範囲】
【請求項１】
マスク及び前記マスクの中に位置する伸縮チャンバを含み、前記伸縮チャンバの中には伸縮できるフィルターが設置されており、前記伸縮チャンバの両側壁の中にはいずれも伸縮機構が設置されており、前記伸縮機構はまた、前記マスクの中に位置し、且つ外部空間と連通する第一空きチャンバを含み、上下二つの前記第一空きチャンバの間には前記第一空きチャンバに連通する第二空きチャンバが設置されており、前記第二空きチャンバの前後端壁の間にはまた支えブロックが設置されており、後側の前記支えブロックの中には前へ開口するボタン溝が設置されており、前側支えブロックの後端面にはボタンが設置されており、前記第二空きチャンバの中にはまた上下両端はそれぞれ上下両側の前記第一空きチャンバの中に位置する細紐が設置されており、外部空間の中には二本のロープが設置されており、前記ロープの両端はそれぞれ上下両側の前記第一空きチャンバのうち前記フィルターの片側に近接した内壁を貫通し、且つ前記細紐と接続され、左右二本の前記細紐の間には二本の輪ゴムが固定的に設置されており、前記輪ゴムが前記伸縮チャンバを貫通して前記フィルターとスライドできるように設置されており、前記伸縮チャンバの上端壁の中には通気機構が設置されており、前記通気機構は第一空き溝を含み、前記第一空き溝の左右端壁はいずれも外部空間と連通して上側の二つの前記第一空きチャンバと連通し、前記伸縮チャンバの上端壁の中には二つの第三空きチャンバが設置されており、前記第三空きチャンバの前後端壁の中には外部空間と連通する貫通溝が設置されており、前記第三空きチャンバの中にはスライド布が設置されており、前記スライド布には前記スライド布を貫通する通気穴が設置されており、前記スライド布の前端面には一端が前記スライド布と当接する二枚の遮断布が設置されており、二枚の前記遮断布が前記通気穴を封閉し、前記ボタンと前記ボタン溝との位置を調整することによって両側の前記ロープの間の相対位置が調整され、自由に調節することによって異なった人のマスクのサイズへの要求を対応できることを特徴とする自己適応マスク。
【請求項２】
前記伸縮機構は、外部空間の中に位置し、且つ前記ロープとスライドできるように接続されるスライドブロックを含み、上側の前記スライドブロックの一端には下へ開口する撥条溝が設置されており、前記撥条溝の上端壁には伸縮撥条が設置されており、前記伸縮撥条の下端には下端が外部空間に位置する接続棒が設置されており、前記接続棒の下端にはストッパーが設置されており、下側の前記スライドブロックの上端には固定ブロックが設置されており、前記固定ブロックの中には左右端壁が外部空間に連通する並進溝が設置されており、前記並進溝の上端壁には上端壁と左右端壁がいずれも外部空間と連通する移動溝が設置されており、その作用は前記ストッパーと前記並進溝との係合によって、二つの前記スライドブロックを接続させ、便利にマスクを一つの耳に掛けることを特徴とする請求項１に記載の自己適応マスク。
【請求項３】
前記通気機構はまた前記第一空き溝の中に位置する成形ブロックを含み、前記第一空き溝の上端壁には外部空間に連通する第二空き溝が設置され、前記成形ブロックの左右両端には上端が外部空間に連通する磁石ブロックが摩擦して設置されており、前記第三空きチャンバの上端壁には前記第一空き溝に連通する第四空きチャンバが設置されており、前記スライド布の上端には上端が前記第四空きチャンバを貫通し、且つ前記第一空き溝の中に位置する磁石シートが設置されており、前記スライド布の一端は前記第三空きチャンバの一側端壁との間には圧縮撥条が設置されており、その作用は前記マスクをより良く通気させることを特徴とする請求項１に記載の自己適応マスク。
【手続補正２】
【補正対象書類名】明細書
【補正対象項目名】全文
【補正方法】変更
【補正の内容】
【発明の詳細な説明】
【技術分野】
【０００１】
本発明は生活用品分野を取り上げて、具体的には自己適応マスクである。
【背景技術】
【０００２】
現在のマスクは使う時、特に冬では、メガネを掛けている使用者が呼吸するとガラスがかすみ、視線に影響を及ぼし、ある程度の邪魔をもたらし、且つ現段階のマスクはほとんど同じパターンあり、使用者により要求をいちいち満足できず、使用に影響を及ぼす。
【先行技術文献】
【特許文献】
【０００３】
【特許文献１】中国特許出願公開第１０８５４２０２３号明細書
【発明の概要】
【発明が解決しようとする課題】
【０００４】
本発明の目的はある自己適応マスクを提供し、上記背景技術から提出される欠点を解決つもりである。
【課題を解決するための手段】
【０００５】
図１−２を参考し、本発明が提供するある実施例：自己適応マスクは、マスク及び前記マスクの中に位置する伸縮チャンバを含み、前記伸縮チャンバの中には伸縮できるフィルターが設置されており、前記伸縮チャンバの両側壁の中にはいずれも伸縮機構が設置されており、前記伸縮機構はまた、前記マスクの中に位置し、且つ外部空間と連通する第一空きチャンバを含み、上下二つの前記第一空きチャンバの間には前記第一空きチャンバに連通する第二空きチャンバが設置されており、前記第二空きチャンバの前後端壁の間にはまた支えブロックが設置されており、後側の前記支えブロックの中には前へ開口するボタン溝が設置されており、前側支えブロックの後端面にはボタンが設置されており、前記第二空きチャンバの中にはまた上下両端はそれぞれ上下両側の前記第一空きチャンバの中に位置する細紐が設置されており、外部空間の中には二本のロープが設置されており、前記ロープの両端はそれぞれ上下両側の前記第一空きチャンバのうち前記フィルターの片側に近接した内壁を貫通し、且つ前記細紐と接続され、左右二本の前記細紐の間には二本の輪ゴムが固定的に設置されており、前記輪ゴムが前記伸縮チャンバを貫通して前記フィルターとスライドできるように設置されており、前記伸縮チャンバの上端壁の中には通気機構が設置されており、前記通気機構は第一空き溝を含み、前記第一空き溝の左右端壁はいずれも外部空間と連通して上側の二つの前記第一空きチャンバと連通し、前記伸縮チャンバの上端壁の中には二つの第三空きチャンバが設置されており、前記第三空きチャンバの前後端壁の中には外部空間と連通する貫通溝が設置されており、前記第三空きチャンバの中にはスライド布が設置されており、前記スライド布には前記スライド布を貫通する通気穴が設置されており、前記スライド布の前端面には一端が前記スライド布と当接する二枚の遮断布が設置されており、二枚の前記遮断布が前記通気穴を封閉し、前記ボタンと前記ボタン溝との位置を調整することによって両側の前記ロープの間の相対位置が調整され、自由に調節することによって異なった人のマスクのサイズへの要求を対応できる。
【０００６】
更なる技術方案、前記伸縮機構は、外部空間の中に位置し、且つ前記ロープとスライドできるように接続されるスライドブロックを含み、上側の前記スライドブロックの一端には下へ開口する撥条溝が設置されており、前記撥条溝の上端壁には伸縮撥条が設置されており、前記伸縮撥条の下端には下端が外部空間に位置する接続棒が設置されており、前記接続棒の下端にはストッパーが設置されており、下側の前記スライドブロックの上端には固定ブロックが設置されており、前記固定ブロックの中には左右端壁が外部空間に連通する並進溝が設置されており、前記並進溝の上端壁には上端壁と左右端壁がいずれも外部空間と連通する移動溝が設置されており、その作用は前記ストッパーと前記並進溝との係合によって、二つの前記スライドブロックを接続させ、便利にマスクを一つの耳に掛ける。
【０００７】
更なる技術方案、前記通気機構はまた前記第一空き溝の中に位置する成形ブロックを含み、前記第一空き溝の上端壁には外部空間に連通する第二空き溝が設置され、前記成形ブロックの左右両端には上端が外部空間に連通する磁石ブロックが摩擦して設置されており、前記第三空きチャンバの上端壁には前記第一空き溝に連通する第四空きチャンバが設置されており、前記スライド布の上端には上端が前記第四空きチャンバを貫通し、且つ前記第一空き溝の中に位置する磁石シートが設置されており、前記スライド布の一端は前記第三空きチャンバの一側端壁との間には圧縮撥条が設置されており、その作用は前記マスクをより良く通気させる。
【発明の効果】
【０００８】
本発明の有益な効果は下記の通りである：
【０００９】
本装置は結構が簡単で、便利に操作し、自由的にロープを調整でき、マスクに対する異なった要求をより良く満足し、排気するときに上へ排気して眼鏡のガラスがかすむ状況を回避し、マスクの使用体験が更に良くなり、二つのスライドブロックの係合によって、外すときに耳にかけ、落ちにくく、もう一側のロープを引っ張って直接にマスクをかぶせることに便利を与える。
【図面の簡単な説明】
【００１０】
【図１】は本発明の自己適応マスクの全体断面正面構成模式図であり；
【図２】は本発明の自己適応マスクスのスライドブロックの全体の左視拡大構成模式図である。
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１−２を参考し、本発明が提供するある実施例：自己適応マスクは、マスク１及び前記マスク１の中に位置する伸縮チャンバ３４を含み、前記伸縮チャンバ３４の中には伸縮できるフィルター３５が設置されており、前記伸縮チャンバ３４の両側壁の中にはいずれも伸縮機構が設置されており、前記伸縮機構１１はまた、前記マスク１の中に位置し、且つ外部空間と連通する第一空きチャンバ６を含み、上下二つの前記第一空きチャンバ６の間には前記第一空きチャンバ６に連通する第二空きチャンバ７が設置されており、前記第二空きチャンバ７の前後端壁の間にはまた支えブロック５が設置されており、後側の前記支えブロック５の中には前へ開口するボタン溝４が設置されており、前側支えブロック５の後端面にはボタン３が設置されており、前記第二空きチャンバ７の中にはまた上下両端はそれぞれ上下両側の前記第一空きチャンバ６の中に位置する細紐２が設置されており、外部空間の中には二本のロープ１７が設置されており、前記ロープ１７の両端はそれぞれ上下両側の前記第一空きチャンバ６のうち前記フィルター３５の片側に近接した内壁を貫通し、且つ前記細紐２と接続され、左右二本の前記細紐２の間には二本の輪ゴム３３が固定的に設置されており、前記輪ゴム３３が前記伸縮チャンバ３４を貫通して前記フィルター３５とスライドできるように設置されており、前記伸縮チャンバ３４の上端壁の中には通気機構２０が設置されており、前記通気機構２０は第一空き溝２３を含み、前記第一空き溝２３の左右端壁はいずれも外部空間と連通して上側の二つの前記第一空きチャンバ６と連通し、前記伸縮チャンバ３４の上端壁の中には二つの第三空きチャンバ２６が設置されており、前記第三空きチャンバ２６の前後端壁の中には外部空間と連通する貫通溝３１が設置されており、前記第三空きチャンバ２６の中にはスライド布３２が設置されており、前記スライド布３２には前記スライド布３２を貫通する通気穴２９が設置されており、前記スライド布３２の前端面には一端が前記スライド布３２と当接する二枚の遮断布３０が設置されており、二枚の前記遮断布３０が前記通気穴２９を封閉し、前記ボタン３と前記ボタン溝４との位置を調整することによって両側の前記ロープ１７の間の相対位置が調整され、自由に調節することによって異なった人のマスクのサイズへの要求を対応できる。
【００１３】
有益なように、前記伸縮機構１１は、外部空間の中に位置し、且つ前記ロープ１７とスライドできるように接続されるスライドブロック１８を含み、上側の前記スライドブロック１８の一端には下へ開口する撥条溝１５が設置されており、前記撥条溝１５の上端壁には伸縮撥条１６が設置されており、前記伸縮撥条１６の下端には下端が外部空間に位置する接続棒１３が設置されており、前記接続棒１３の下端にはストッパー１４が設置されており、下側の前記スライドブロック１８の上端には固定ブロック８が設置されており、前記固定ブロック８の中には左右端壁が外部空間に連通する並進溝９が設置されており、前記並進溝９の上端壁には上端壁と左右端壁がいずれも外部空間と連通する移動溝１０が設置されており、その作用は前記ストッパー１４と前記並進溝９との係合によって、二つの前記スライドブロック１８を接続させ、便利にマスクを一つの耳に掛ける。
【００１４】
有益なように、前記通気機構２０はまた前記第一空き溝２３の中に位置する成形ブロック２４を含み、前記第一空き溝２３の上端壁には外部空間に連通する第二空き溝２２が設置され、前記成形ブロック２４の左右両端には上端が外部空間に連通する磁石ブロック２１が摩擦して設置されており、前記第三空きチャンバ２６の上端壁には前記第一空き溝２３に連通する第四空きチャンバ２８が設置されており、前記スライド布３２の上端には上端が前記第四空きチャンバ２８を貫通し、且つ前記第一空き溝２３の中に位置する磁石シート２７が設置されており、前記スライド布３２の一端は前記第三空きチャンバ２６の一側端壁との間には圧縮撥条２５が設置されており、その作用は前記マスク１をより良く通気させる。
【００１５】
これより、付図１−２及び上記の本願発明の自己適応マスクの具体的な構成を参考して本申請の自己適応マスクの使い方を詳しく紹介する。
【００１６】
顔型の大きい方が使用するとき、ロープ１７を引っ張り、ロープ１７によって細紐２を両側へ移動連動させ、需要により、細紐２が異なった数のボタンを解き、両側のロープ１７の間の相対的距離を増やし、適応に便利を与え、且つ細紐２の運動によって輪ゴム３３を引っ張り、フィルター３５を相対的に伸ばさせ、これにより濾過効果を保証することを前提としてフィルター３５におけるろ過穴を相対的に拡大させ、更に便利に通気できる。
【００１７】
顔型の異なった人は、鼻の大きさも異なっており、成形ブロック２４によってマスクと鼻の周りの肌との間の空間を封閉するとき、成形ブロック２４の突起によって磁石ブロック２１を連動させて第一空き溝２３の中心に近づかせ、磁石ブロック２１と磁石シート２７の間の距離を縮め、磁力を増やし、これによって磁石シート２７を前記磁石ブロック２１接近せうる方向へ運動連動させ、前記スライド布２１を運動連動させ、圧縮撥条２５が引っ張られ、通気穴２９が両側に運動し、これによりマスクに対して垂直に排気することに便利を与え、且つ片耳でマスクを掛けるときに、二つのスライドブロック１８を近づかせ、ストッパー１４を並進溝９の中に差し込み、ロープ１７の一端が一つの輪に形成し、より便利に耳に掛けられ、使用者が便利にマスクを使用できる。
【００１８】
以上、発明の具体的な実施方法であり、ところが、発明の保護範囲はこれに限らない、創造性労働のない考えた変化や入替えは発明の保護範囲の中に含むべき、だから、発明の保護範囲は特許文献が限定する保護範囲に順するべきである。
【手続補正３】
【補正対象書類名】図面
【補正対象項目名】図１
【補正方法】変更
【補正の内容】
【図１】
2020143415.tif 000005